(57)【特許請求の範囲】
【請求項１】
網掛けされて２値の色調値を有する印刷データを、ラスタ情報を維持しながら校正する方法であって、
ラスタ情報を維持して２値の色調値から中間調値を生成するための軟化半径からなる軟化ウインドウを使用することによって、網掛けされた印刷データを軟化方法でフィルタリングするに際し、
前記軟化半径は、
軟化ウインドウのための開始値半径を設定し、
０〜１００％であるパーセンテージ区域カバレッジのための０〜１の度数を計算し、
区域カバレッジの前記パーセンテージのための最大度数を決定し、
前記最大度数から前記軟化ウインドウの両端までの間で、結合された度数値が既定の度数値より小さい区域カバレッジ値をサーチし、
最小区域カバレッジ値と最大区域カバレッジ値との間の差を決定し、
前記最小区域カバレッジ値と前記最大区域カバレッジ値との間の前記差が、区域カバレッジにおける既定の変化より小さい場合には、開始値半径を使用して前記軟化ウインドウのサイズを定義することによって計算され、
前記２値の色調値からの中間調値は、暗区域のエッジのピクセルが明るくされ、明区域のエッジのピクセルが暗くされる高コントラストのエッジを平滑化することによって生成され、
前記中間調値は、前記中間調値から色空間変換によって変換済み色調値及び／又は中間調値が形成されたとき、その変換済み色調値及び／又は中間調値が色調に関して印刷物と一致する校正刷りをなすものであるように構成される方法。
【請求項２】
前記軟化方法が、
ラスタ情報を維持すること、及び
色調に関して印刷物と一致する校正刷りを制作するため、中間調値を使用してカラーマネージメントを実行できるように、中間調値を生成すること、
の要件を満たすように、軟化方法で使用される軟化半径が選択される、請求項１記載の方法。
【請求項３】
前記最小の区域カバレッジ値と前記最大の区域カバレッジ値との間の前記差が、区域カバレッジにおける既定の変化を超える場合には、前記第１開始値半径より大きな第２開始値半径を設定して前記軟化方法を繰り返す工程をさらに含む、請求項２に記載の方法。
【請求項４】
前記所定の区域カバレッジ値が２０％〜３０％の範囲にある、請求項３に記載の方法。
【請求項５】
前記所定の度数が０．１５〜０．２５の範囲にある、請求項３または４に記載の方法。
【請求項６】
網掛けされて２値の色調値を有する印刷データを、ラスタ情報を維持しながら校正する装置であって、
ラスタ情報を維持して２値の色調値から中間調値を生成するための軟化半径からなる軟化ウインドウを使用することによって、網掛けされた印刷データを軟化方法でフィルタリングするに際し、
前記軟化半径は、
軟化ウインドウのための開始値半径を設定し、
０〜１００％であるパーセンテージ区域カバレッジのための０〜１の度数を計算し、
区域カバレッジの前記パーセンテージのための最大度数を決定し、
前記最大度数から前記軟化ウインドウの両端までの間で、結合された度数値が既定の度数値より小さい区域カバレッジ値をサーチし、
最小区域カバレッジ値と最大区域カバレッジ値との間の差を決定し、
前記最小区域カバレッジ値と前記最大区域カバレッジ値との間の前記差が、区域カバレッジにおける既定の変化より小さい場合には、開始値半径を使用して前記軟化ウインドウのサイズを定義することによって計算され、
前記２値の色調値からの中間調値は、暗区域のエッジのピクセルが明るくされ、明区域のエッジのピクセルが暗くされる高コントラストのエッジを平滑化することによって生成され、
前記中間調値は、前記中間調値から色空間変換によって変換済み色調値及び／又は中間調値が形成されたとき、その変換済み色調値及び／又は中間調値が色調に関して印刷物と一致する校正刷りをなすものであるように構成される
という方法ステップを実行できるようにセットアップされるプロセッサを有する装置。
【発明の詳細な説明】
（発明の属する技術分野）
（従来の技術）
印刷産業における品質保証の過程において、また同時に、コスト低減の圧力によって、実際の版が印刷される前に印刷機の印刷プロセスを、異なった機器でシミュレートすることが知られている。
【０００１】
この異なった機器は、今日では、通常、カラープリンタである。このカラープリンタは、駆動ソフトウェア内のカラープロフィールによって適切に較正され、印刷機よりも著しく費用効果的なプリントアウトを作成することができるが、同時に、印刷機における後の印刷の本質的な特徴を有する。
【０００２】
後に印刷機で制作される印刷物の具体的な特性をシミュレートする機器で印刷データを印刷した結果物は、印刷業界では校正刷りと呼ばれ、その手順は校正作業と呼ばれる。
【０００３】
言い換えれば、校正刷りとは、主として四色刷り印刷物をシミュレートするため、最初の印刷物に代わるテスト印刷物を意味する。
【０００４】
実際の印刷機で印刷した結果物、即ち印刷物から適切に区別するため、以下の説明では、校正刷りの用語はテスト印刷物を意味するものとして使用されるであろう。即ち、それは、後に印刷機で制作される印刷物の具体的な特性をシミュレートする機器で印刷データを印刷したものである。
【０００５】
印刷産業における大部分の方法において、複製のために提供された印刷データは、印刷版を製作する前に網かけされる。
【０００６】
この網掛けは、印刷物における色調値の諧調を複製するために必要である。その理由は、印刷機で印刷されるインクが諧調を有しないためである。
【０００７】
この理由のため、印刷材料の特定の区域に印刷されるインクの量は、ラスタを介して制御される。
【０００８】
印刷の一般的な作業シーケンスは、図５のブロック図５００で表される。
【０００９】
網掛けされていない印刷データ５０１は、ラスタイメージプロセッサ５０２（ＲＩＰ）によって、網掛けされた印刷データ５０３へ投影される。網掛けされた印刷データ５０３は、印刷機５０４によって印刷され、それによって印刷物５０５が作成される。
【００１０】
印刷機５０４として示される装置は、ディジタル印刷機であるか、フィルム露光機、印刷版複写機、又はディジタル印刷版露光機へ結合された印刷機であってよい。装置として重要なことは、網掛けされた印刷データ５０３を最終結果物である印刷物５０５へ変換することだけである。
【００１１】
従来技術に従って印刷データを校正する方法は、３つのグループに分けることができる。
【００１２】
（ａ）網掛けされていない印刷データを処理する方法。
【００１３】
（ｂ）網掛けされた印刷データを処理する方法。
【００１４】
（ｃ）網掛けされた印刷データを処理し、周知の網掛け除去方法によって印刷データから再びラスタを除去する方法。
【００１５】
それぞれの手順からは、次のような利点と欠点が生じる。それらを、以下で詳細に説明する。
【００１６】
（ａ）網掛けされていない印刷データを処理する方法（図６ａ及び図６ｂを参照）。
【００１７】
この方法では、図６ａのブロック図６００で示されるように、網掛けされていない印刷データ５０１が校正機６０１へ送られ、周知のカラーマネジメントシステムによって色空間変換を施され、校正機６０１のために適切な方法で網掛けされ、校正機６０１によって出力され、それによって校正刷り６０２が作成される。
【００１８】
網掛けされていない印刷データ５０１を使用する校正方法の場合、網掛け及び印刷機５０４における印刷の間のカラー応答を良好な品質でシミュレートすることができる。
【００１９】
カラープロフィールによって適切な較正を与えられると、結果物、即ち校正刷り６０２は、色調に関して印刷物５０５と正確に一致するので、校正刷り６０２はカラーに正確であると言われる。これは、後続の印刷物５０５のカラー品質を評価するため校正刷り６０２が使用可能であることを意味する。
【００２０】
図６ｂは、網掛けされていない印刷データ５０１に対する校正刷り６０２の例６０３を示す。この例６０３に従えば、網掛け前では５０％の色調値である。
【００２１】
この手順の欠点は、特に、校正機６０１で出力するため印刷データを同じように網掛けしなければならないことである。しかし、校正機６０１におけるこの網掛けは、印刷機５０４における網掛けと対応せず、最良でも印刷機５０４の網掛けと類似するだけである。
【００２２】
これは、網掛けされていない印刷データ５０１の助けを借りて作成された校正刷り６０２が、ユーザの網掛けの品質に関する情報をユーザに提供できないことを意味する。
【００２３】
そのような校正刷り６０２を使用しても、網掛けの間に生じる誤りを検出することはできない。
【００２４】
可能な誤りとしては、例えば、カラーが過剰に印刷されるときの、個々のカラーにおける望ましくないパターン又は周知のモアレである。
【００２５】
（ｂ）網掛けされた印刷データを処理する方法（図７ａ及び図７ｂを参照）。
【００２６】
網掛けされた印刷データ５０３を使用する校正方法では、網掛けされていない印刷データ５０１は、ラスタイメージプロセッサ５０２（ＲＩＰ）によって、網掛けされた印刷データ５０３へ投影される。網掛けされた印刷データ５０３は校正機７０１へ送られ、校正機７０１によって出力され、それによって校正刷り７０２が作成される。この手順に従えば、校正機７０１での別個の網掛けは必要でない（ブロック図７００を参照）。
【００２７】
この手順の１つの利点は、網掛けが、後の印刷物５０５の上で可視表示されるように、校正刷り７０２の上でもユーザに可視表示される事実から明らかである。
【００２８】
しかし、この手順の１つの欠点は、カラーに正確な校正刷り７０２を作成できない事実から分かる。
【００２９】
この理由は、特に、網掛け作業の間に、全ての色調値（ルミナンス値及び／又はクロミナンス値）が、たった２つの色調値、即ち「０」パーセントのカラー塗布を有する第１の色調値、及び「１００」パーセントのカラー塗布を有する第２の色調値へ縮小されるからである。
【００３０】
中間調値は、もはや存在しない（網掛けの後で、５０パーセントの色調値７０３が示される図７ｂを参照）。
【００３１】
実行されるべき色空間変換の間に、これら２つだけのカラー値が変換されるであろう。しかしながらその結果、校正機のカラー応答へのマッチングは、もはや達成されることができない。なぜなら、この目的のためには、中間調値も必要だからである。
【００３２】
（ｃ）網掛けされた印刷データを処理し、周知の網掛け除去方法によって、再び印刷データから網掛けを除去する方法（図８のブロック図８００を参照）。
【００３３】
そのような方法では、網掛けされた印刷データ５０３は網掛け除去８０１を施され、それによって網掛けされていない印刷データ８０２が形成され、それが校正機８０３へ送られ、校正機８０３によって出力され、それによって校正刷り８０４が作成される。
【００３４】
言い方を換えると、網掛けされていないオリジナル情報（網掛けされていない印刷データ５０１及び８０２）を回復するため、ラスタ情報が画像（網掛けされた印刷データ５０３）から再び計算される。従って、網掛けされていない印刷データ８０２を使用して、（ａ）で説明された手順が実行される。
【００３５】
従って、（ｃ）に従った手順は、（ａ）に従った手順と同じ利点及び欠点を有する。
【００３６】
そのような方法は、既存の作業シーケンスで、網掛けされていない印刷データ５０１を取り出すことができないとき一般的に使用されるが、重大な焦点となるのは、カラー忠実度である。
【００３７】
本発明は、ラスタ情報を維持しながら、網掛けされた印刷データを校正する方法及び装置を指定する場合の問題点に基づいている。本発明によって、校正刷りのカラー忠実度は、制作される印刷物と比較したとき、既に知られた方法よりも改善される。
【００３８】
前記の問題点は、ラスタ情報を維持しながら、網掛けされた印刷データを校正する方法及び装置であって、独立特許クレームに従った特徴を有する方法及び装置によって解決される。
【００３９】
ラスタ情報を維持しながら、網掛けされ２値の色調値を有する印刷データを校正する方法において、網掛けされた印刷データは、ラスタ情報を維持されながらフィルタ方法へ渡される。フィルタ方法によって、中間調値は、２値の色調値を使用することによって作り出される。
【００４０】
２値の色調値は、例えば「０」パーセントのカラー塗布を有する色調値（第１の２値色調値）又は「１００」パーセントのカラー塗布を有する色調値（第２の２値色調値）として理解されるべきである。
【００４１】
対照的に、中間調値は、「０」パーセントと「１００」パーセントとの間のカラー塗布を有する色調値である。
【００４２】
中間調値は、色空間変換によって、色調に関して印刷物と一致する校正刷りを表す変換済み色調値及び／又は中間調値が形成されるように構成される。
【００４３】
ラスタ情報を維持しながら、網掛けされ２値の色調値を有する印刷データを校正する装置は、前述した方法ステップが実行されるようにセットアップされるプロセッサを有する。
【００４４】
本発明は、ディジタル印刷データから色調に関して印刷物と一致する校正刷りを作成することを可能にする。ディジタル印刷データは、後に印刷機で印刷するのに適した網掛け形式になっている。これは、印刷機を開始する前に、印刷物の色調及びラスタ情報の双方を評価する可能性をユーザに提供する。
【００４５】
明らかに、本発明に従えば、網掛けされた印刷データが使用されるが、第１に高品質の色空間変換を実行することができるように中間調（中間調値）が再び作り出され、第２にラスタ情報が維持されるように、網掛けされた印刷データが変更される。
【００４６】
従って、（ａ）、（ｂ）、及び（ｃ）に従った方法の欠点は避けられ、（ａ）、（ｂ）、及び（ｃ）に従った方法の実質的に全ての利点が、１つの方法で組み合わせられる。
【００４７】
明らかに、ラスタ情報が網掛け除去方法によって計算されない事実、しかし例えば、周知の軟化方法又はスケーリング方法が、印刷データに含まれるラスタポイントへ適用される事実に、本発明を認めることができる。
【００４８】
言い方を換えると、これは、ラスタ情報を維持しながら、網掛けされた印刷データの色調に関して印刷物と一致する校正方法が指定されることを意味する。その場合、網掛けされた印刷データは軟化アルゴリズムへ渡され、軟化アルゴリズムは、網目スクリーンの幅、網目スクリーンの角度、及び網目スクリーンの網点形状を含む特性ラスタ情報を維持するが、同時に、ラスタデータに含まれる０パーセント及び１００パーセントの色調値に加えて中間調値を生成する。中間調値は、校正機に含まれる周知のカラーマネジメントシステムを介して、色空間変換の実行を可能にする。その結果物は色調に関して印刷物と一致する校正刷りである。
【００４９】
本発明の好ましい展開は、従属クレームから生じる。
【００５０】
本発明の１つの展開に従えば、使用されるフィルタ方法は軟化方法である。
【００５１】
軟化方法は、画像がアンシャープに描かれる画像処理フィルタ方法を意味する。軟化アンシャープフィルタ方法では、高コントラストのエッジは、暗区域のエッジに置かれたピクセルを明るくし、明区域のエッジに置かれたピクセルを暗くすることによって平滑化される。
【００５２】
軟化方法で使用される軟化半径は、好ましくは、軟化方法が次の要件に合致するように選択される。
【００５３】
−  ラスタ情報を維持すること。
【００５４】
−  色調に関して印刷物と一致する校正刷りを作成するため、中間調値を使用してカラーマネージメントを実行できるように中間調値を生成すること。
【００５５】
軟化半径を選択するステップは、次のステップを含むことができる。
【００５６】
（ａ）既定の軟化半径Ｒ＝Ｒ0について、パーセンテージ区域カバレッジｆの度数分布Ｐ（ｆ）を計算する（０≦Ｐ≦１、０≦ｆ≦１００％）
（ｂ）最大Ｐmax（ｆ0）を決定する
（ｃ）最大値Ｐmax（ｆ0）からスタートしてヒストグラムの両方の側へ度数分布ＰがＰ＜Ｐ’となるパーセンテージ区域カバレッジ値までサーチし、ｆ1＜ｆ0＜ｆ2であり、かつＰ（ｆ1）＜Ｐ’であるような最大値ｆ１及びＰ（ｆ2）＜Ｐ’であるような最小値ｆ2値を決定する。
【００５７】
（ｄ）もしｆ2−ｆ1≧Δｆ’（０＜Δｆ’＜１００％）であれば、既定の値ΔＲだけ増分された軟化半径について度数分布Ｐ（ｆ）を計算する。
【００５８】
（ｅ）ｆ2−ｆ1＜Δｆ’を満たす軟化半径Ｒになるまで、ステップ（ｂ）〜（ｄ）を反復する。
【００５９】
（ｆ）軟化半径Ｒを出力する。
【００６０】
値Δｆ’は、例えば２０％〜３０％の範囲にあることができ、好ましくは２５％である。値Ｐ’は、例えば０．１５〜０．２５の範囲にあることができ、好ましくは０．２である。
【００６１】
代替的に、本発明の更なる改善に従えば、使用されるフィルタ方法は、スケーリング方法、例えばバイキュービックスケーリング方法又はバイリニアスケーリング方法である。
【００６２】
使用される２値色調値及び／又は中間調値は、ピクセルへ割り当てられるルミナンス値及び／又はクロミナンス値であることができる。
【００６３】
更に、使用されるラスタ情報は、次のものであることができる。
【００６４】
・網目スクリーンの解像度、及び／又は
・網目スクリーンの角度、及び／又は
・網目スクリーンの網点形状
本発明の例示的実施形態は、図面を使用して以下の本文で詳細に説明されるであろう。
【００６５】
網掛けされていない印刷データ５０１は、ラスタイメージプロセッサ５０２（ＲＩＰ）によって、網掛けされた印刷データ５０３へ投影される（図１ｂを参照）。
【００６６】
網掛けされた印刷データ５０３は、印刷機５０４によって印刷され、それによって印刷物５０５が制作される。
【００６７】
網掛けされた印刷データ５０３はラスタ情報を有する。網目スクリーンは、スクリーン網点の中心の間隔（スクリーンの解像度）、スクリーン網点の中心を通って引かれる線の水平方向に対する角度（スクリーンの角度）、及びスクリーン網点の形状（例えば、ラウンドドット、エリプス、ライン、スクエア、クロスが普通である）によって特徴づけられる。
【００６８】
校正刷りを作成するため、この例示的実施形態の網掛けデータ５０３は、軟化方法１０１へ渡される。軟化方法によって、０〜１００パーセントのインク塗布パーセンテージを有するカラー中間調（中間調値）が生成される。
【００６９】
適切に選択されたパラメータを有する適切に選択された軟化方法１０１によって、非常に多くの色調値ステップを生成することができるので、カラー忠実度を確保することができる。適切な軟化方法の要件は、図２〜図４を参照して、より詳細に説明されるであろう。
【００７０】
軟化方法１０１によって形成されたデータ１０２は、校正機１０３へ送られ、校正機１０３によって出力され、それによって校正刷り１０４が形成される。
【００７１】
網掛け及び後続の軟化方法１０１が実行された後の５０パーセントの色調値について、軟化法１０１が実行された結果の例が図１ｂに示される。
【００７２】
図１ｂから、ラスタ情報が本質的に維持されていることが分かる。
【００７３】
ラスタ情報の前述した要素の全てが、図１ｂで依然として認められる。
【００７４】
しかし、適切な軟化方法を選択するとき、以下で詳細に説明するように、軟化の程度が、あまりに高又は低とならないように注意しなければならない。
【００７５】
特に、適用される軟化方法は、次の特性に合致しなければならない。
【００７６】
（Ｉ）ラスタ情報を維持すること。
【００７７】
（II）中間調値に対して有効なカラーマネージメントが後で可能であるように、中間調値を生成すること。
【００７８】
要件（Ｉ）に関して：
もし軟化が、ラスタ情報を画像からフィルタすれば、即ち、あまりに厳しい軟化作業が実行されれば、もはやラスタ情報の維持は保証されない。これは、軟化半径があまりに広く選択されてはならないことを意味する。
【００７９】
要件（II）に関して：
軟化が過度に弱い場合、生成された中間調値は、特定のカラーマネージメントを実行するのに十分でない。その結果、校正機のカラー応答への十分なマッチングを実行することができず、従って校正刷りのカラー忠実度は達成されない。適切な軟化パラメータを計算するアルゴリズムは、図４ｂとの関連で、より詳細に説明されるであろう。
【００８０】
図２ａは、初期画像２００、又は軟化を行なわない場合の初期画像ディテール、即ち２０パーセントの区域カバレッジを有する純粋なラスタイメージを示す。
【００８１】
図２ｂは、関連したヒストグラム２０１を示す。ヒストグラムは、横座標（ｘ軸）の上で、区域カバレッジ値ｆを示す。即ち、それぞれの画像ディテールにおける区域カバレッジのパーセンテージｆは、範囲（０％≦ｆ≦１００％）にある。更に、区域カバレッジｆは、略図的にヒストグラムの低い端に示される。縦座標（ｙ座標）の値Ｐは、それぞれの画像ディテールで横座標に示される区域カバレッジ値のパーセンテージ頻度を示す。Ｐは範囲（０≦Ｐ≦１）にある。
【００８２】
図２ｂが示すように、画像ディテール２００内の２０パーセント区域カバレッジは、トータル区域の２０パーセントが１００パーセントの区域カバレッジを有し、トータル区域の８０パーセントが白いまま、即ち０パーセントの区域カバレッジを有する事実によってもたらされる。
【００８３】
例えば、約２０パーセント区域カバレッジの周りの区域を特別に変更する有効なカラーマネージメントは、画像ディテール２００の上で実行されることはできない。なぜなら、画像ディテール２００において、ｆ＝２０％の区域は存在せず、単にｆ＝０％又はｆ＝１００％の区域が存在するだけだからである。しかし、これらは変更されないであろう。なぜなら、それらは紙の背景及び完全な区域カバレッジを有する区域に対応するからである。０＜ｆ＜１００％の中間調値ｆが存在しなければ、カラーマネージメント、従って色調に関して印刷物と一致する校正刷りの作成を実行することはできず、従って前記の要件（II）は満たされない。
【００８４】
図３ａは、図２ａの画像ディテール２００へガウス軟化方法を適用して得られた画像ディテール３００を示す。図３ｂの関連したヒストグラム３０１から分かるように、そこには多くの中間調値が存在するが、これらの中間調値は非常に広い分布を有し、際立った最大値又は最小値は存在しない。その結果、例えば、画像ディテール３００の中で２０パーセントの区域カバレッジを有する区域へ特に影響するカラーマネージメントを適用すると、例えば、８０パーセントのカバレッジを有する区域も、ほぼ同じように影響を受けるであろう。この場合でも、特定のカラーマネージメント、従って色調に関して印刷物と一致する校正刷りの制作は可能でなく、従って前記要件（II）は同じように満たされない。
【００８５】
前記の要件（Ｉ）及び（II）の双方に対して適切な軟化アルゴリズムは、好ましくは、オリジナル画像の解像度、網目スクリーンの解像度、及び目標画像の解像度に基づいて設定されたパラメータを有する。
【００８６】
以下で詳細に説明されるように、そのような適切に設定されたパラメータを有する軟化アルゴリズムによって、図２ａに示される画像ディテール２００からスタートして、例えば、図４ａに示される色調値パーセンテージ分布のヒストグラム４００が得られてよい。
【００８７】
図４ａに示されるヒストグラムにおいて、もし特定の限度Ｐ’の上にある度数値、及びこれらの度数値Ｐ＞Ｐ’が広がる横座標（ｘ軸）区域を考えると、区域カバレッジ値のパーセンテージ度数分布は、実質的に、狭く限定された横座標区域Δｆに集中することが分かる。その場合、度数値Ｐは際立った最大値を形成する。
【００８８】
量的に言えば、これは、例えば図４ａで達成された度数分布の最大値Ｐmaxからスタートして、依然としてＰ＝０．２の上にある度数が割り当てられるカラーカバレッジ値は、比較的狭く限定された横座標区域にあることを意味する。図４ａに示される例示的実施形態の場合、これは、これらのカラーカバレッジ値が、横座標全体の単にΔｆ’＝２５％の区域に集中すること、即ち、ほぼｆ1＝１０％からｆ2＝３５％の区域カバレッジ横座標区間に集中することを意味する。
【００８９】
図４ａに示される中間調値の分布のために、それぞれの画像ディテールの特定の明度範囲又は区域カバレッジ値、即ち、例えば、前述の範囲１０〜３５パーセントの区域カバレッジの内側又は外側の区域カバレッジは、プロセスの中で、全て又は大多数の他の明度範囲が同時に変更されることなく、特別に影響を受けてよい。これは、校正機のカラー応答をマッチさせるため、有効なカラーマネージメントの実行を可能にし、従ってカラー忠実度が保証され、上記の要件（II）が満たされる。
【００９０】
ガウス軟化方法が使用されるとき、ただ１つの変数パラメータは、軟化ウィンドウの半径である。他の相当するアルゴリズムの場合、そのようなパラメータはフィルタのウィンドウサイズである。最適の結果を達成するため、この半径、又は、このウィンドウサイズは、図４ａを使用して説明されたようなヒストグラムの結果になるまで、前もって規定されたテスト部分の画像の上で、コンピュータプログラムによって変更されることができる。このようにして発見された値は、次に、画像全体を軟化するために使用される。
【００９１】
軟化方法の適切な半径を決定するアルゴリズムを、以下の本文で図４ｂを参照して、より詳細に説明する。
【００９２】
第１のステップＳ1で、開始値Ｒ＝Ｒ0が軟化方法の半径として設定される。次のステップＳ2で、任意に選択された画像ディテールを使用して、前述したヒストグラムが、この半径Ｒのために決定される。即ち、パーセンテージ区域カバレッジｆ（０〜１００％の間）の各々の値について、それぞれの度数Ｐ（０〜１の間）が計算される。
【００９３】
次のステップＳ3で、ステップＳ2で決定されたヒストグラムの中の最大値Ｐmax（ｆ）が決定される。次の本文で、これは区域カバレッジ値ｆ＝ｆ0で起こると想定される。
【００９４】
次のステップＳ4で、最大値Ｐmax（ｆ0）からスタートして、度数値ＰがＰ＜０．２になる区域カバレッジ値まで、サーチがヒストグラムの両方の側へ行なわれる。言い換えれば、ｆ0より下の最大値ｆ1及びｆ0より上の最小値ｆ2が決定され、それらの最大値及び最小値のところで、ヒストグラム内の関連する度数値が０．２より小さくなる。
【００９５】
ステップＳ5で、決定された値ｆ1とｆ2との間の差分Δｆが計算される。
【００９６】
ステップＳ6で、この差分ΔｆがΔｆ’＝２５％よりも小さいかどうかチェックされる。
【００９７】
もし小さければ、現在の半径値Ｒ0が出力され、この半径は画像全体を軟化するために使用される。しかし、もし小さくなければ、半径は増分ΔＲだけ増加されてＲ＝Ｒ0＋ΔＲとされ、この値Ｒについてアルゴリズムが実行される。これは、ｆ1とｆ2との間の上述の間隔Δｆが十分に制限されるまで、即ち、ステップＳ6でチェックされた条件が満たされるまで反復される。その条件が満たされると、直ちにアルゴリズムは終了し、決定された半径Ｒは、画像全体を軟化するために使用される。
【００９８】
もちろん、特別の条件又は要件に依存して、横座標範囲Δｆ’＝２５％の代わりに、又は度数限定値Ｐ’＝０．２の代わりに、Δｆ’及びＰ’の他の値が、図４ｂのアルゴリズムで使用される。
【００９９】
１つの更なる軟化の可能性は、スケーリングアルゴリズムを使用して得られる。スケーリングアルゴリズムは、走査された印刷データ５０３を、印刷機５０４の解像度から校正機１０３の解像度へ、可能性としてスケーリングする必要がある間に軟化を実効化する。この例は、バイキュービックスケーリング又はバイリニアスケーリングとして知られる。これらのスケーリング方法は、結果が軟化効果と同じになるように、スケーリングされる値を補間する。スケーリング方法は、分裂構造又はアーティファクトが生成されないように、解像度のマッチングを実行しなければならない。
【０１００】
非常に稀な場合には、走査された印刷データの解像度が、校正機の解像度と同じになるので、印刷データは、通常、どちらの場合でもスケーリングされなければならない。従って、ここでの明白な方針は、そのようなアルゴリズムを直ちに使用することである。
【図面の簡単な説明】
【図１】  本発明の例示的実施形態における個々の方法ステップを示すブロック図（図１ａ）、及び例示的実施形態に従った方法によって得られた校正刷りの例を示す図（図１ｂ）である。
【図２】  走査されたデータを表す画像ディテールのブロック図（図２ａ）、及び図２ａの画像ディテールにおけるカラー色調値のパーセンテージ分布を表す関連のヒストグラム（図２ｂ）である。
【図３】  パラメータが最適化されないガウス軟化方法を、図２ａの画像ディテールへ適用することによって得られた画像ディテールのブロック図（図３ａ）、及び図３ａの画像ディテールにおけるカラー色調値のパーセンテージ分布を表す関連のヒストグラム（図３ｂ）である。
【図４ａ】  本発明に従って、パラメータが最適化された軟化方法を、図２ａの画像ディテールへ適用することによって得られた画像ディテールにおけるカラー色調値のパーセンテージ分布を表すヒストグラムである。（図４ａ）
【図４ｂ】  図４ａに従って軟化方法で使用される軟化半径を計算するアルゴリズムを示す図である。
【図５】  印刷物が制作される一般的な普通の作業シーケンスを表すブロック図である。
【図６】  網掛けされていない印刷データを処理する方法の個々の方法ステップを示すブロック図（図６ａ）、及び図６ａの方法によって得られた校正刷りの例を示す図（図６ｂ）である。
【図７】  網掛けされた印刷データを処理する方法の個々の方法ステップを示すブロック図（図７ａ）、及び図７ａの方法によって得られた校正刷りの例を示す図（図７ｂ）である。
【図８】  網掛けを除去された印刷データを処理する方法の個々の方法ステップを示すブロック図である。
【図２】
0004680480.tif 000002
0004680480.tif 000003
【図３】
0004680480.tif 000004
0004680480.tif 000005
【図５】
0004680480.tif 000006
【図６】
0004680480.tif 000007
0004680480.tif 000008
【図７】
0004680480.tif 000009
【図８】
0004680480.tif 000010
【図１】
0004680480.tif 000011
【図４】
0004680480.tif 000012